【事件の表示】
　特願２０１２−２４３０７１「太陽電池モジュールのバックシート、及び、太陽電池モジュール」拒絶査定不服審判事件〔平成２５年１０月　３日出願公開、特開２０１３−２０１４１６〕について、次のとおり審決する。
【結　論】
　本件審判の請求は、成り立たない。
【理　由】
第１　手続の経緯 
　本願は、特許法第４１条に基づく優先権主張を伴う平成２４年１１月２日（優先日：平成２３年１１月４日、出願番号：特願２０１１−２４２５２１号、平成２３年１２月２日、出願番号：特願２０１１−２６４８６１号、平成２３年１２月２日、出願番号：特願２０１１−２６４８６２号、平成２３年１２月１５日、出願番号：特願２０１１−２７４９１８号、平成２４年２月２０日、出願番号：特願２０１２−３４４５３号）の出願であって、平成２５年１月３０日付けで拒絶理由が通知され、同年４月８日付けで意見書が提出されたが、同年８月１６日付けで拒絶査定がなされた。本件は、これに対して、平成２５年１１月２６日に拒絶査定に対する審判請求がなされ、同時に手続補正がなされたものである。
　その後、平成２６年３月１１日付けで前置報告がなされ、同年８月１１日付けで上申書が提出された。
　
　
第２　本願発明について 
１．本願発明 
　本願の特許請求の範囲の請求項１に係る発明（以下「本願発明」という。）は、平成２５年１１月２６日付けの手続補正により請求項の削除を目的として補正された特許請求の範囲の請求項１に記載された事項により特定される、以下のとおりのものである。 
　
 「水不透過性シート、及び、前記水不透過性シートの少なくとも一方の面に形成された塗膜を有する太陽電池モジュールのバックシートであって、
前記塗膜は、硬化性官能基含有含フッ素ポリマーを含む塗料からなり、
この塗膜の、少なくとも水不透過性シートと反対側の面に表面処理層が形成されており、
前記硬化性官能基含有含フッ素ポリマーは、含フッ素単量体に基づく重合単位と、水酸基含有単量体、カルボキシル基含有単量体、酸無水物単量体、アミノ基含有単量体、及び、シリコーン系ビニル単量体からなる群より選択される少なくとも１種の硬化性官能基含有単量体に基づく重合単位と、を含む
ことを特徴とする太陽電池モジュールのバックシート。」 
　
２．引用刊行物 
（１）原査定の拒絶の理由に引用され、本願の優先日前に頒布された刊行物である国際公開第２００７／０１０７０６号（以下「引用文献１」という。）には、以下の事項が記載されている。（下線は、当審が付した。） 
　
（ａ）「［００１３］  すなわち本発明は、
水不透過性シートの少なくとも一方の面に硬化性官能基含有含フッ素ポリマー塗料の硬化塗膜が形成されてなる太陽電池モジュールのバックシート
　
（ｂ）「［００１７］  太陽電池モジュールの封止剤（通常、ＥＶＡ）層側の水不透過性シート上に硬化性官能基含有含フッ素ポリマー塗料の硬化塗膜を形成する場合は、硬化性官能基含有含フッ素ポリマーの官能基がＥＶＡと共架橋を惹き起こし、さらに接着性が向上する。」
　
（ｃ）「［００２１］  本発明のバックシートの特徴は、耐候性や隠蔽性、耐薬品性、耐湿性、耐塩性のために設けられるポリマー層に硬化性官能基含有含フッ素ポリマー塗料の硬化塗膜を採用している点にある。
［００２２］  かかる硬化塗膜を形成する硬化性官能基含有含フッ素ポリマー塗料としては、硬化性官能基含有含フッ素ポリマーを塗膜形成成分とする塗料組成物が用いられる。
［００２３］  
硬化性官能基含有含フッ素ポリマーとしては、含フッ素ポリマーに硬化性の官能基を導入したポリマーがあげられる。
［００２４］  含フッ素ポリマーに硬化性を与える官能基としては、たとえば水酸基、カルボキシル基、アミノ基、グリシジル基、シリル基、シラネート基、イソシアネート基などがあげられ、ポリマーの製造の容易さや硬化系に併せて
適宜選択される。
硬化性官能基は、通常、硬化性官能基含有単量体を共重合することにより含フッ素ポリマーに導入される。
［００２５］  
硬化性官能基含有単量体としては、たとえばつぎのものが例示できる
［００２６］（１−１）
水酸基含有単量体
  水酸基含有単量体としては、たとえば２−ヒドロキシエチルビニルエーテル、３−ヒドロキシプロピルビニルエーテル、２−ヒドロキシプロピルビニルエーテル、２−ヒドロキシ-２−メチルプロピルビニルエーテル、４−ヒドロキシブチルビニルエーテル、４−ヒドロキシ−２−メチルブチルビニルエーテル、５−ヒドロキシペンチルビニルエーテル、６−ヒドロキシヘキシルビニルエーテルなどの水酸基含有ビニルエーテル類；２−ヒドロキシエチルアリルエーテル、４−ヒドロキシブチルアリルエーテル、グリセロールモノアリルエーテルなどの水酸基含有アリルエーテル類などがあげられる。これらのなかでも水酸基含有ビニルエーテル類、特に４−ヒドロキシブチルビニルエーテル、２−ヒドロキシエチルビニルエーテルが重合反応性、官能基の硬化性が優れる点で好ましい。
［００２７］  他の水酸基含有モノマーとしては、たとえばアクリル酸２−ヒドロキシエチル、メタクリル酸２−ヒドロキシエチルなどの（メタ）アクリル酸のヒドロキシアルキルエステルなどが例示できる。
［００２８］（１−２）
カルボキシル基含有単量体
  カルボキシル基含有単量体としては、たとえば式（II）：
［００２９］［化１］
［００３０］（式中、Ｒ3、Ｒ4およびＲ5は同じかまたは異なり、いずれも水素原子、アルキル基、カルボキシル基またはエステル基；ｎは０または１である）で表わされる不飽和モノカルボン酸、不飽和ジカルボン酸、そのモノエステルまたは酸無水物などの不飽和カルボン酸類；または式（III）：
［００３１］［化２］
［００３２］（式中、Ｒ6およびＲ7は同じかまたは異なり、いずれも飽和または不飽和の直鎖または環状アルキル基；ｎは０または１；ｍは０または１である）で表わされるカルボキシル基含有ビニルエーテル単量体などがあげられる。
［００３３］  式（II）の不飽和カルボン酸類の具体例としては、たとえばアクリル酸、メタクリル酸、ビニル酢酸、クロトン酸、桂皮酸、３−アリルオキシプロピオン酸、３−（２−アリロキシエトキシカルボニル）プロピオン酸、イタコン酸、イタコン酸モノエステル、マレイン酸、マレイン酸モノエステル、マレイン酸無水物、フマル酸、フマル酸モノエステル、フタル酸ビニル、ピロメリット酸ビニルなどがあげられる。それらのなかでも単独重合性の低いクロトン酸、イタコン酸、マレイン酸、マレイン酸モノエステル、フマル酸、フマル酸モノエステル、３−アリルオキシプロピオン酸が、単独重合性が低く単独重合体ができにくいことから好ましい。
［００３４］  式（III）のカルボキシル基含有ビニルエーテル単量体の具体例としては、たとえば３−（２−アリロキシエトキシカルボニル）プロピオン酸、３−（２−アリロキシブトキシカルボニル）プロピオン酸、３−（２−ビニロキシエトキシカルボニル）プロピオン酸、３−（２−ビニロキシブトキシカルボニル）プロピオン酸などの１種または２種以上があげられる。これらの中でも３−（２−アリロキシエトキシカルボニル）プロピオン酸などが、単量体の安定性や重合反応性がよい点で有利であり、好ましい。
［００３５］（１−３）
アミノ基含有単量体
  アミノ基含有単量体としては、たとえばＣＨ2＝ＣＨ−Ｏ−（ＣＨ2）x−ＮＨ2（ｘ＝０〜１０）で示されるアミノビニルエーテル類；ＣＨ2＝ＣＨ−Ｏ−ＣＯ（ＣＨ2）x−ＮＨ2（ｘ＝１〜１０）で示されるアリルアミン類；そのほかアミノメチルスチレン、ビニルアミン、アクリルアミド、ビニルアセトアミド、ビニルホルムアミドなどがあげられる。
［００３６］（１−４）
シリコーン系ビニル単量体
  シリコーン系ビニル単量体としては、たとえばＣＨ2=ＣＨＣＯ2(ＣＨ2)3Ｓｉ(ＯＣＨ3)3、ＣＨ2=ＣＨＣＯ2(ＣＨ2)3Ｓｉ(ＯＣ2Ｈ5)3、ＣＨ2=Ｃ(ＣＨ3)ＣＯ2(ＣＨ2)3Ｓｉ(ＯＣＨ3)3、ＣＨ2=Ｃ(ＣＨ3)ＣＯ2(ＣＨ2)3Ｓｉ(ＯＣ2Ｈ5)3、ＣＨ2=ＣＨＣＯ2(ＣＨ2)3ＳｉＣＨ3(ＯＣ2Ｈ5)2、ＣＨ2=Ｃ(ＣＨ3)ＣＯ2(ＣＨ2)3ＳｉＣ2Ｈ5(ＯＣＨ3)2、ＣＨ2=Ｃ(ＣＨ3)ＣＯ2(ＣＨ2)3Ｓｉ(ＣＨ3)2(ＯＣ2Ｈ5)、ＣＨ2=Ｃ(ＣＨ3)ＣＯ2(ＣＨ2)3Ｓｉ(ＣＨ3)2ＯＨ、ＣＨ2=ＣＨ(ＣＨ2)3Ｓｉ(ＯＣＯＣＨ3)3、ＣＨ2=Ｃ(ＣＨ3)ＣＯ2(ＣＨ2)3ＳｉＣ2Ｈ5(ＯＣＯＣＨ3)2、ＣＨ2=Ｃ(ＣＨ3)ＣＯ2(ＣＨ2)3ＳｉＣＨ3(Ｎ（ＣＨ3）ＣＯＣＨ3)2、ＣＨ2=ＣＨＣＯ2(ＣＨ2)3ＳｉＣＨ3〔ＯＮ(ＣＨ3)Ｃ2Ｈ5〕2、ＣＨ2=Ｃ(ＣＨ3)ＣＯ2(ＣＨ2)3ＳｉＣ6Ｈ5〔ＯＮ(ＣＨ3)Ｃ2Ｈ5〕2などの（メタ）アクリル酸エステル類；ＣＨ2=ＣＨＳｉ［ＯＮ＝Ｃ（ＣＨ3）（Ｃ2Ｈ5）］3、ＣＨ2=ＣＨＳｉ(ＯＣＨ3)3、ＣＨ2=ＣＨＳｉ(ＯＣ2Ｈ5)3、ＣＨ2=ＣＨＳｉＣＨ3(ＯＣＨ3)2、ＣＨ2=ＣＨＳｉ(ＯＣＯＣＨ3)3、ＣＨ2=ＣＨＳｉ(ＣＨ3)2(ＯＣ2Ｈ5)、ＣＨ2=ＣＨＳｉ(ＣＨ3)2ＳｉＣＨ3(ＯＣＨ3)2、ＣＨ2=ＣＨＳｉＣ2Ｈ5(ＯＣＯＣＨ3)2、ＣＨ2=ＣＨＳｉＣＨ3〔ＯＮ(ＣＨ3)Ｃ2Ｈ5〕2、ビニルトリクロロシランまたはこれらの部分加水分解物などのビニルシラン類；トリメトキシシリルエチルビニルエーテル、トリエトキシシリルエチルビニルエーテル、トリメトキシシリルブチルビニルエーテル、メチルジメトキシシリルエチルビニルエーテル、トリメトキシシリルプロピルビニルエーテル、トリエトキシシリルプロピルビニルエーテルなどのビニルエーテル類などが例示される。」
　
（ｄ）「［００６１］  つぎに本発明の太陽電池モジュールについて、好ましい実施形態を示した図１に従って説明する。また、本発明の別の好ましい実施形態の概略断面図を図２〜５に示す。
［００６２］  図１において、１は太陽電池セルであり、ＥＶＡに代表される封止剤層２に封止されており、表面層３とバックシート４で挟まれている。バックシート４はさらに水不透過性シート５と硬化性官能基含有含フッ素ポリマー塗料の硬化塗膜６とから構成されている。この第１の実施形態では硬化塗膜６は封止（ＥＶＡ）層２側に設けられている。
［００６３］  この実施形態では、硬化塗膜６がＥＶＡと接するので、特にＥＶＡとの共架橋により界面接着性が向上する。」
　
　すると、上記引用文献１の記載事項から、引用文献１には、以下の発明（以下「引用発明」という。）が記載されている。 
 「水不透過性シートの少なくとも一方の面に硬化性官能基含有含フッ素ポリマー塗料の硬化塗膜が形成されてなる太陽電池モジュールのバックシートであって、
硬化性官能基含有フッ素ポリマーは、含フッ素ポリマーに硬化性の官能基を導入したポリマーであって、硬化性官能基は、硬化性官能基含有単量体を共重合することにより含フッ素ポリマーに導入され、硬化性官能基含有単量体としては、水酸基含有単量体、カルボキシル基含有単量体、アミノ基含有単量体、及び、シリコーン系ビニル単量体から適宜選択される
太陽電池モジュールのバックシート。」
　
（２）原査定の拒絶の理由に引用され、本願の優先日前に頒布された刊行物である国際公開第２０１１／０８７０４６号（以下「引用文献２」という。）には、以下の事項が記載されている。（下線は、当審が付した。） 
　
（ａ）「［００１１］　かかる問題を解決するために、水不透過性シートの少なくとも一方の面に水酸基含有含フッ素ポリマー塗料の硬化塗膜層を形成した、水不透過性シートの種類に限らず水不透過性シートとの密着性に優れた太陽電池の耐侯性シートが提案されている（特許文献３）。
［００１２］　ここで、実際の製造工程では、生産効率を向上させるために、水不透過性シートに塗膜層を形成した後に巻き取る工程（ロール巻き取り工程）が採用されている。かかるロール巻き取り工程において、不完全硬化状態の塗膜にタックが生じている場合、図８に示されるように、巻き取られた状態において水不透過性シート層の裏面と塗膜層の表面とがブロッキングしてしまうという問題がある。参照符号５は水不透過性シート、参照符号７は塗膜を示す。
［００１３］　特許文献３の水酸基含有フッ素ポリマー塗料は、水不透過性シートと塗膜層とからなる耐侯性シートについて８０℃で３０分間乾燥した後に、塗膜とシートとの間の密着性を評価しているが、かかる密着性および巻き取られた状態における水不透過性シート層の裏面と塗膜層の表面との耐ブロッキング性は、いずれも改善の余地がある。また、
該耐侯性シートの塗膜面上にＥＶＡ樹脂シートを載せ、圧着したサンプルの密着性を評価しているが、こちらも改善の余地がある。
先行技術文献
特許文献
［００１４］特許文献１：特開平７−１７６７７５号公報
特許文献２：特開２００４−２１４３４２号公報
特許文献３：特開２００７−０３５６９４号公報」
　
（３）原査定の拒絶の理由に引用され、本願の優先日前に頒布された刊行物である国際公開第２０１０／１２６０００号（以下「引用文献３」という。）には、以下の事項が記載されている。（下線は、当審が付した。） 
　
（ａ）「［００１１］　そこで、本発明者らは、フッ素系塗膜に関して検討し、水不透過性シートの少なくとも一方の面に水酸基含有含フッ素ポリマー塗料の硬化塗膜層を形成することにより、水不透過性シートの種類に限らず水不透過性シートとの接着性に優れた太陽電池のバックシートが得られることを見出した（特許文献３）。
先行技術文献
特許文献
［００１２］特許文献１：特開平７−１７６７７５号公報
特許文献２：特開２００４−２１４３４２号公報
特許文献３：特開２００７−０３５６９４号公報
発明の概要
発明が解決しようとする課題
［００１３］　本発明は、特許文献３で達成された水不透過性シートとの接着性をさらに向上させた太陽電池のバックシート、
さらには封止剤であるＥＶＡとの接着性も向上させた太陽電池モジュールを提供することを目的とする。
　
３．対比 
（１）本願発明と引用発明との対比 
　引用発明の「水不透過性シートの少なくとも一方の面に硬化性官能基含有含フッ素ポリマー塗料の硬化塗膜が形成されてなる太陽電池モジュールのバックシートであって、」は、本願発明の「水不透過性シート、及び、前記水不透過性シートの少なくとも一方の面に形成された塗膜を有する太陽電池モジュールのバックシートであって、前記塗膜は、硬化性官能基含有含フッ素ポリマーを含む塗料からなり、」に相当する。 
　また、引用発明の「含フッ素ポリマー」は、本願発明の「含フッ素単量体に基づく重合単位」「を含む」ことに相当するから、引用発明の「硬化性官能基含有フッ素ポリマーは、含フッ素ポリマーに硬化性の官能基を導入したポリマーであって、硬化性官能基は、硬化性官能基含有単量体を共重合することにより含フッ素ポリマーに導入され、硬化性官能基含有単量体としては、水酸基含有単量体、カルボキシル基含有単量体、アミノ基含有単量体、及び、シリコーン系ビニル単量体から適宜選択される」が、本願発明の「前記硬化性官能基含有含フッ素ポリマーは、含フッ素単量体に基づく重合単位と、水酸基含有単量体、カルボキシル基含有単量体、酸無水物単量体、アミノ基含有単量体、及び、シリコーン系ビニル単量体からなる群より選択される少なくとも１種の硬化性官能基含有単量体に基づく重合単位と、を含む」に相当する。 
　
（２）一致点 
　以上のことから、本願発明と引用発明は、 
 「水不透過性シート、及び、前記水不透過性シートの少なくとも一方の面に形成された塗膜を有する太陽電池モジュールのバックシートであって、
前記塗膜は、硬化性官能基含有含フッ素ポリマーを含む塗料からなり、
前記硬化性官能基含有含フッ素ポリマーは、含フッ素単量体に基づく重合単位と、水酸基含有単量体、カルボキシル基含有単量体、酸無水物単量体、アミノ基含有単量体、及び、シリコーン系ビニル単量体からなる群より選択される少なくとも１種の硬化性官能基含有単量体に基づく重合単位と、を含む
太陽電池モジュールのバックシート。」で一致し、次の点で相違する。 
　
（３）相違点 
　本願発明では、「この塗膜の、少なくとも水不透過性シートと反対側の面に表面処理層が形成されて」いるのに対して、引用発明では、「硬化塗膜」の、水不透過性シートと反対側の面に表面処理層が形成されていない点。 
　
４．判断 
（１）相違点について
　引用文献２及び引用文献３には、いずれも先行技術として同じ文献である「特許文献３：特開２００７−０３５６９４号公報」を提示し、当該先行技術である水不透過性シートに水酸基含有含フッ素ポリマー塗料の硬化塗膜層を形成した太陽電池のバックシートにおいて、ＥＶＡ樹脂との密着性を向上させる技術課題が存在することが記載されている。
　ここで、上記「特許文献３：特開２００７−０３５６９４号公報」は、引用文献１のファミリー文献であり、上記「特許文献３：特開２００７−０３５６９４号公報」には、引用発明と同様の発明が記載されている。
　すると、引用発明の硬化性官能基含有含フッ素ポリマー塗料の硬化塗膜においても、ＥＶＡ樹脂との密着性を向上させる技術課題が存在するものと解される。
　そして、フッ素系の樹脂において接着性を向上するために表面処理を行うことは、国際公開第２００８／０５０６２６号（［００１２］、［００１６］等参照）、特開平７−１６９９８４号公報（【００３２】等参照）、特開２００９−１３７０１２号公報（【００２０】〜【００２１】等参照）、特開２０１１−２３６００号公報（【００１９】、【００３４】等参照）に示されるように周知である。
　そのため、引用発明において、ＥＶＡ樹脂との密着性を向上させる技術課題を解決するために、硬化性官能基含有含フッ素ポリマー塗料の硬化塗膜のＥＶＡ樹脂と密着する面すなわち水不透過性シートと反対側の面に対して、接着性を向上するための周知の表面処理を施して、表面処理層を形成することは、当業者が容易に想到し得ることである。 
　
（２）効果について 
　そして、本願発明が奏し得る効果は、引用発明、引用文献２、３に記載された事項及び周知技術から当業者が予測し得る範囲のものであって格別なものではない。 
 　 
（３）結論 
　したがって、本願発明は、引用発明、引用文献２、３に記載された事項及び周知技術から当業者が容易に発明をすることができたものである。 
　
　
第３　むすび 
　以上のとおり、本願発明は、引用発明、引用文献２、３に記載された事項及び周知技術から当業者が容易に発明をすることができたものであり、特許法第２９条第２項の規定により特許を受けることができないから、本願の他の請求項に係る発明について検討するまでもなく、本願は拒絶されるものである。 
　よって、結論のとおり審決する。